(57)【要約】      （修正有）【課題】可視範囲を拡大するタッチパネルの電極回路構造を提供する。【解決手段】タッチパネルの電極回路構造は、「工」字型の電極パーツ２５をベースに延伸し、律性直列接続を利用し、環状の外層伝導チェーン２２及び内層漸層チェーン２３を構成し、しかも伝導チェーン２２と漸層チェーン２３との間には不連続抵抗チェーン２１を設置し、伝導チェーン２２は電極パーツ２５直列接続の長さと間隔距離を調整することで、導体面積を改変し電圧低下の傾向を生じ、これにより伝導チェーン２２は電圧調節補償性を備え、同時に、漸層チェーン２３も電極パーツ２５の長さと間隔距離を調節することで、漸層チェーン２３は電圧分布均一性を備え、こうして電極回路２０は導電基板周囲に効果的に分布し、電界効果の均一化を形成し、ナロー設計のニーズに応えることができる。【選択図】図４
0003202371.tif 000002
【実用新案登録請求の範囲】
【請求項１】
タッチパネルの電極回路構造は、少なくとも導電基板、導電薄膜、電極回路を備え、
前記導電基板上表面には、導電層を形成し、
前記導電薄膜は、前記導電基板上表面に粘着し、一体構造を形成し、
前記電極回路は、前記導電基板の導電層周囲を取り囲んで設置し、前記電極回路は、伝導チェーン、漸層チェーン、不連続抵抗チェーンを備え、
前記伝導チェーンは、複数の「工」字型の電極パーツが規律性を以て直列接続して構成され、前記各電極パーツは、長棒部分及び短棒部分を備え、しかも前記長棒部分と前記短棒部分の中心には、導通部分を連接し、また相互に隣接する前記電極パーツは、間隔を開け、ちょうど反対向きを呈して設置し、前記電極パーツに隣接する長棒部分は、対応して重なり、前記各電極パーツの長棒部分と前記電極パーツに隣接する短棒部分の頂点縁は、同一辺線を呈し、前記各電極パーツの短棒部分と前記電極パーツに隣接する長棒部分の底縁は、同一辺線を呈し、
前記漸層チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を備え、しかも前記長棒部分と前記短棒部分の中心には、導通部分を連接し、前記電極パーツは、前記長棒部分が上に規律性を以て間隔を開けて直列接続し、しかも前記コントロールパーツは、二つずつ相互に隣接する電極パーツの間の下方に設置し、また前記各コントロールパーツの底縁と各電極パーツの短棒部分底縁は、同一辺線を呈し、
前記不連続抵抗チェーンは、前記導電層表面に形成する非連続的な絶縁部により構成され、しかも前記伝導チェーンと前記漸層チェーンは、その外側と内側にそれぞれ形成し、また各絶縁部の長さは、辺縁から中心へと徐々に短くなり、しかも前記絶縁部に隣接する間隔距離は、中心から辺縁へと徐々に長くなり、前記各絶縁部は、前記漸層チェーンの前記電極パーツに隣接する長棒部分の間隔位置にそれぞれ対応することを特徴とするタッチパネルの電極回路構造。
【請求項２】
タッチパネルの電極回路構造は、少なくとも導電基板、導電薄膜、電極回路を備え、
前記導電基板上表面には、導電層を形成し、
前記導電薄膜は、前記導電基板上表面に粘着し、一体構造を形成し、
前記電極回路は、前記導電基板の導電層周囲を取り囲んで設置し、
前記伝導チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を含み、しかも前記長棒部分と前記短棒部分の中心には、導通部分を連接し、前記電極パーツは、前記長棒部分が上に規律性を以て間隔を開けて直列接続し、しかも前記コントロールパーツは、二つずつ相互に隣接する電極パーツの間の下方に設置し、また前記各コントロールパーツの底縁と前記各電極パーツの短棒部分底縁は、同一辺線を呈し、
前記漸層チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を備え、しかも前記長棒部分と前記短棒部分の中心には、導通部分を連接し、前記電極パーツは、前記長棒部分が上に規律性を以て間隔を開けて直列接続し、しかもコントロールパーツは、二つずつ相互に隣接する電極パーツの間の下方に設置し、また各コントロールパーツの底縁と各電極パーツの短棒部分底縁は、同一辺線を呈し、
前記不連続抵抗チェーンは、前記導電層表面に形成する非連続的な絶縁部により構成され、しかも前記伝導チェーンと前記漸層チェーンは、その外側と内側にそれぞれ形成し、また各絶縁部の長さは、辺縁から中心へと徐々に短くなり、しかも前記絶縁部に隣接する間隔距離は、中心から辺縁へと徐々に長くなり、前記各絶縁部は、前記漸層チェーンの前記電極パーツに隣接する長棒部分の間隔位置にそれぞれ対応することを特徴とするタッチパネルの電極回路構造。
【請求項３】
前記電極回路の3個の漸層チェーンの電極パーツは、1個の伝導チェーンの電極パーツに対応可能であることを特徴とする請求項１或いは２に記載のタッチパネルの電極回路構造。
【請求項４】
前記電極回路各辺の漸層チェーンの中央は、各辺伝導チェーンの中央に対応し、しかも各辺不連続抵抗チェーンの中央は、前記伝導チェーンの中央に対応することを特徴とする請求項１或いは２に記載のタッチパネルの電極回路構造。
【考案の詳細な説明】
【技術分野】
【０００１】
本考案はタッチパネルの電極回路構造に関する。
【背景技術】
【０００２】
5線式の抵抗膜方式タッチパネルの製造工程は極めて精密で、その電場均一性は、一般の4線式の抵抗膜方式タッチパネルに比べて高くする必要がある。そのため、周囲の銀配線の抵抗値は、非常に平均して一致していなければならない。さもなければ、作動面の電圧分布を不均一にしてしまい、実際のタッチ点の座標位置の判断にエラーが生じ、タッチパネルが作動不能となってしまう。
【０００３】
これに対しては、辺縁周囲の抵抗性パーツのレイアウトを通して、均一の等電位電場を設置する方式が採用されている。特許文献１、特許文献２、特許文献３、特許文献４、特許文献５は、それぞれタッチエリアの周辺に、異なる非連続的な電極により構成する環状電極回路を設置することで、フレームエリアに発生する電位「リップル効果」を改善している。
【先行技術文献】
【特許文献】
【０００４】
【特許文献１】米国特許公告第6,593,916号
【特許文献２】米国特許公開第2006/0119587号
【特許文献３】台湾公開第201032098号
【特許文献４】台湾公開第201032119号
【特許文献５】台湾公開第201122945号
【考案の概要】
【考案が解決しようとする課題】
【０００５】
本考案が解決しようとする課題は、非連続的な規律性電極を直列接続することで環状電極回路を構成し、電極回路を基板周囲に効果的に分布させ、電圧調節補償性を備え、これにより電界効果の均一化を形成し、極めて狭い配線レイアウト空間を提供でき、こうして可視範囲を拡大するタッチパネルの電極回路構造を提供することである。
【課題を解決するための手段】
【０００６】
上記課題を解決するため、本考案は下記のタッチパネルの電極回路構造を提供する。
タッチパネルの電極回路構造は、導電基板、該導電基板上に設置する導電薄膜を備え、
該導電基板の上表面には、導電層をコーティングし、しかもその周囲には、環状の電極回路をプリントし、
該電極回路は、不連続抵抗チェーン、該不連続抵抗外側に形成する伝導チェーン及び不連続抵抗内側に形成する漸層チェーンを備え、
該伝導チェーン及び該漸層チェーンは、複数の「工」字型の電極パーツ及び複数の「一」字型のコントロールパーツをベースとして延伸し、
該電極パーツは、長棒部分及び短棒部分を含み、しかも長棒部分と短棒部分の中心には、導通部分を連接し、
これにより、該伝導チェーンと該漸層チェーンは電極パーツ直列接続の長さと間隔距離を調整することで、該伝導チェーンは電圧調節補償性を備え、該漸層チェーンは、電圧分布均一性を備え、
こうして、該電極回路は導電基板周囲に効果的に分布し、ナロー設計のニーズに応えることができる。
【考案の効果】
【０００７】
本考案のタッチパネルの電極回路構造は、非連続的な規律性電極を直列接続することで環状電極回路を構成し、電極回路を基板周囲に効果的に分布させ、電圧調節補償性を備え、これにより電界効果の均一化を形成し、極めて狭い配線レイアウト空間を提供でき、こうして可視範囲を拡大することができる。
【図面の簡単な説明】
【０００８】
【図１】本考案タッチパネルの簡略構造模式図である。
【図２】本考案タッチパネル中の導電基板の外観模式図である。
【図３】本考案タッチパネルの電極回路構造実施例の平面レイアウト模式図である。
【図４】本考案の電極回路構造実施例の局部配置模式図である。
【図５】本考案の電極回路構造実施例の別種の局部配置模式図である。
【図６】本考案タッチパネルの電極回路構造実施例の平面レイアウト模式図である。
【図７】本考案の電極回路構造実施例の局部配置模式図である。
【図８】本考案の電極回路構造実施例の別種の局部配置模式図である。
【考案を実施するための形態】
【０００９】
以下に図面を参照しながら本考案を実施するための最良の形態について詳細に説明する。
【００１０】
本考案5線の抵抗膜方式タッチパネルは、図１、２に示すように、導電基板10（ITO Glass）及び導電薄膜50（ITO Film）を備える。
【００１１】
導電基板10と導電薄膜50の相対表面には、透明の導電層をそれぞれコーティングして設置する。しかも、導電基板10上表面には、環状電極回路20をプリントする。導電薄膜50下表面には、対応する環状銀配線55をプリントする。電極回路20及び銀配線55に対応するエリア上には、環状の絶縁層30をそれぞれ印刷する。また、二層の絶縁層30間には、絶縁の環状粘着層40を設置する。これにより、導電基板10と導電薄膜50とは、一体に粘着され、さらに各絶縁層30が囲む空間内には、複数の微細な透明の絶縁物35をプリントする。
【００１２】
本考案の特色は、電極回路20は、不連続抵抗チェーン21、不連続抵抗21外側に形成する伝導チェーン22及び不連続抵抗21内側に形成する漸層チェーン23により構成される点である。
【００１３】
図３〜５に示すように、電極回路20は、複数の「工」字型の電極パーツ25及び複数の「一」字型のコントロールパーツ29をベースとして延伸し、規律性直列接続により構成する環状の伝導チェーン22と漸層チェーン23を利用する。電極パーツ25は、長棒部分26及び短棒部分27を含み、しかも長棒部分26と短棒部分27の中心には、導通部分28を連接する。
【００１４】
前記の伝導チェーン22は、ちょうど反対向きで、しかも長棒部分26T、26Iが対応して重なり設置する電極パーツ25T、25Iが、直列接続して構成される。これにより、相互に隣接する電極パーツ25T、25Iの長棒部分26Tと短棒部分27Iの頂点縁、及び短棒部分27Tと長棒部分26Iの底縁は、同一辺線を呈する。その内、各電極パーツ25T、25Iは、長棒部分26T、26Iの重なり直列接続長さL及び相対距離Pを調整制御することを通して、導体面積を改変し、電圧低下の傾向を生じる。別に、伝導チェーン22底縁と漸層チェーン23頂点縁間の間隔距離Gは、前記の導電層特性を利用し伝導し、これにより伝導チェーン22は、電圧調節補償性を備える。
【００１５】
また、前記漸層チェーン23は、一つながりの長棒部分26T’上の電極パーツ25T’及び間隔を開けて設置する一つながりの「一」字型のコントロールパーツ29が、規律正しく間隔を開けて直列接続して構成される。しかも、コントロールパーツ29は、二つずつ相互に隣接する電極パーツ25T’の間の下方に設置し、各コントロールパーツ29の底縁と各電極パーツ25T’の短棒部分27T’底縁は、同一辺線を呈する。また、3個の漸層チェーン23の電極パーツ25T’は、1個の伝導チェーン22の電極パーツ25T或いは25Iに対応可能である。さらに、各電極パーツ25T’は、その長棒部分26L’の長さL’及び長棒部分26L’底縁とコントロールパーツ29頂点縁との相対距離P’を調整制御することで、均一化電界効果を得ることができる。これにより、漸層チェーン23は、電圧分布均一性を備える。
【００１６】
さらに、前記の不連続抵抗チェーン21は、導電基板10の導電層12上において、エッチング或いはレーザー照射の方式を利用し形成する非連続的な絶縁部210により構成される。各絶縁部210の長さは、辺縁から中心へと徐々に短くなり、また絶縁部210に隣接する間隔距離は、中心から辺縁へ縮小する。しかも、各絶縁部210は、前記漸層チェーン23電極パーツ25T’の長棒部分26L’の間隔位置にそれぞれ対応する。
【００１７】
しかも、電極回路20各辺の漸層チェーン23の中央は、各辺伝導チェーン22の中央に対応し、各辺の不連続抵抗チェーン21の中央は、伝導チェーン22の中央に対応する。
【００１８】
また、本考案の電極回路20の別種の実施例では、図６〜８に示すように、伝導チェーン22Lは、一つながりの長棒部分26L上の電極パーツ25L及び一つながりの間隔を開けて設置する「一」字型コントロールパーツ29Lが、規律正しく間隔を開けて直列接続して構成される。しかも、コントロールパーツ29Lは、二つずつ相互に隣接する電極パーツ25Lの間隔位置下方に設置し、各コントロールパーツ29Lの底縁と各電極パーツ25Lの短棒部分27L底縁は、同一辺線を呈する。その内、各電極パーツ25Lは、その長棒部分26Lとコントロールパーツ29Lの重なり直列接続長さX及び相対距離Pを調整制御することで、導体面積を改変し、電圧低下の傾向を生じる。別に、伝導チェーン22底縁と漸層チェーン23頂点縁間の間隔距離Gは、前記の導電層特性を利用し伝導し、これにより伝導チェーン22は、電圧調節補償性を備える。
【００１９】
前記漸層チェーン23は、一つながりの長棒部分26T’上の電極パーツ25T’及び一つながりの間隔を開けて設置する「一」字型コントロールパーツ29が、規律正しく間隔を開けて直列接続して構成される。しかも、コントロールパーツ29は、二つずつ相互に隣接する電極パーツ25T’の間の下方に設置し、各コントロールパーツ29の底縁と各電極パーツ25T’の短棒部分27T’底縁は、同一辺線を呈する。また、3個の漸層チェーン23の電極パーツ25T’は、1個の伝導チェーン22Lの電極パーツ25Lに対応でき、それは同様に等価抵抗直列接続を生じることができ、しかもナロー設計のニーズに応えることができる。
【００２０】
前記の設計を通して、本考案の伝導チェーン22は、電極パーツ25T、25Iの直列接続の長さと間隔距離を調整して制御することで、導体面積を改変し、電圧低下の傾向を生じ、これにより伝導チェーン22は電圧調節補償性を備える。同時に、漸層チェーン23は、コントロールパーツ25T’の長さと間隔距離により、その長さと距離の改変により、漸層チェーン23は、電圧分布均一性を備えることができる。
【００２１】
こうして、電極回路20は導電基板10周囲に効果的に分布する。これにより、電界効果の均一化を形成し、しかもさらに均一化の電界効果を通して、極めて狭い配線レイアウト空間を提供でき、こうして可視範囲を拡大する。さらに、タッチパネルの再現性、安定性を向上させ、製品の信頼性を大幅に高めることができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
10  導電基板
20  電極回路
21  不連続抵抗チェーン
210  絶縁部
22  伝導チェーン
23  漸層チェーン
25  電極パーツ
26  長棒部分
27  短棒部分
28  導通部分
29  コントロールパーツ
30  絶縁層
35  絶縁物
40  粘着層
50  導電薄膜
55  銀配線
【図１】
0003202371.tif 000003
【図２】
0003202371.tif 000004
【図３】
0003202371.tif 000005
【図４】
0003202371.tif 000006
【図５】
0003202371.tif 000007
【図６】
0003202371.tif 000008
【図７】
0003202371.tif 000009
【図８】
0003202371.tif 000010
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
タッチパネルの電極回路構造は、少なくとも導電基板、導電薄膜、電極回路を備え、
前記導電基板上表面には、導電層を形成し、
前記導電薄膜は、前記導電基板上表面に粘着し、一体構造を形成し、
前記電極回路は、前記導電基板の導電層周囲を取り囲んで設置し、前記電極回路は、伝導チェーン、漸層チェーン、不連続抵抗チェーンを備え、
前記伝導チェーンは、複数の「工」字型の電極パーツが規律性を以て直列接続して構成され、前記各電極パーツは、長棒部分及び短棒部分を備え、しかも前記長棒部分と前記短棒部分の中心には、導通部分を連接し、また相互に隣接する前記電極パーツは、間隔を開け、ちょうど反対向きを呈して設置し、前記電極パーツに隣接する長棒部分は、対応して重なり、前記各電極パーツの長棒部分と前記電極パーツに隣接する短棒部分の頂点縁は、同一辺線を呈し、前記各電極パーツの短棒部分と前記電極パーツに隣接する長棒部分の底縁は、同一辺線を呈し、
前記漸層チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を備え、しかも前記長棒部分と前記短棒部分の中心には、導通部分を連接し、前記電極パーツは、前記長棒部分が上に規律性を以て間隔を開けて直列接続し、しかも前記コントロールパーツは、二つずつ相互に隣接する電極パーツの間の下方に設置し、また前記各コントロールパーツの底縁と各電極パーツの短棒部分底縁は、同一辺線を呈し、
前記不連続抵抗チェーンは、前記導電層表面に形成する非連続的な絶縁部により構成され、しかも前記伝導チェーンと前記漸層チェーンは、その外側と内側にそれぞれ形成し、また各絶縁部の長さは、辺縁から中心へと徐々に短くなり、しかも前記絶縁部に隣接する間隔距離は、中心から辺縁へと徐々に長くなり、前記各絶縁部は、前記漸層チェーンの前記電極パーツに隣接する長棒部分の間隔位置にそれぞれ対応することを特徴とするタッチパネルの電極回路構造。
【請求項２】
タッチパネルの電極回路構造は、少なくとも導電基板、導電薄膜、電極回路を備え、
前記導電基板上表面には、導電層を形成し、
前記導電薄膜は、前記導電基板上表面に粘着し、一体構造を形成し、
前記電極回路は、前記導電基板の導電層周囲を取り囲んで設置し、前記電極回路は、伝導チェーン、漸層チェーン、不連続抵抗チェーンを備え、
前記伝導チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を含み、しかも前記長棒部分と前記短棒部分の中心には、導通部分を連接し、前記電極パーツは、前記長棒部分が上に規律性を以て間隔を開けて直列接続し、しかも前記コントロールパーツは、二つずつ相互に隣接する電極パーツの間の下方に設置し、また前記各コントロールパーツの底縁と前記各電極パーツの短棒部分底縁は、同一辺線を呈し、
前記漸層チェーンは、複数の相互に間隔を開けて設置する「工」字型電極パーツ及び一つながりの間隔を開けて設置する「一」字型コントロールパーツをベースとして延伸し、前記各電極パーツは、長棒部分及び短棒部分を備え、しかも前記長棒部分と前記短棒部分の中心には、導通部分を連接し、前記電極パーツは、前記長棒部分が上に規律性を以て間隔を開けて直列接続し、しかもコントロールパーツは、二つずつ相互に隣接する電極パーツの間の下方に設置し、また各コントロールパーツの底縁と各電極パーツの短棒部分底縁は、同一辺線を呈し、
前記不連続抵抗チェーンは、前記導電層表面に形成する非連続的な絶縁部により構成され、しかも前記伝導チェーンと前記漸層チェーンは、その外側と内側にそれぞれ形成し、また各絶縁部の長さは、辺縁から中心へと徐々に短くなり、しかも前記絶縁部に隣接する間隔距離は、中心から辺縁へと徐々に長くなり、前記各絶縁部は、前記漸層チェーンの前記電極パーツに隣接する長棒部分の間隔位置にそれぞれ対応することを特徴とするタッチパネルの電極回路構造。
【請求項３】
前記電極回路の3個の漸層チェーンの電極パーツは、1個の伝導チェーンの電極パーツに対応可能であることを特徴とする請求項１或いは２に記載のタッチパネルの電極回路構造。
【請求項４】
前記電極回路各辺の漸層チェーンの中央は、各辺伝導チェーンの中央に対応し、しかも各辺不連続抵抗チェーンの中央は、前記伝導チェーンの中央に対応することを特徴とする請求項１或いは２に記載のタッチパネルの電極回路構造。